(57)【要約】【課題】点灯用の放電ランプの交換作業の容易化を図る。【解決手段】第１および第２の点灯用の放電ランプ３，４を保持する第１および第２の保持部１１，１２と、点灯用の放電ランプ３，４を点灯させるための点灯回路部１３と、第１および第２の保持部１１，１２および点灯回路部１３が設けられた基部１４とを備える。そして、基部１４には、点灯用の放電ランプ３，４と交換するための第１および第２の交換用の放電ランプ６，７が収納される第１および第２の収納部１６，１７が設けられている。【選択図】図４
2008305570.tif 000002
【特許請求の範囲】
【請求項１】
点灯用の放電ランプを保持する保持部と、
前記点灯用の放電ランプを点灯させるための点灯回路部と、
前記保持部および前記点灯回路部が設けられた基部とを備え、
前記基部には、前記点灯用の放電ランプと交換するための交換用の放電ランプが収納される収納部が設けられている照明装置。
【請求項２】
前記収納部は、前記保持部に保持された前記点灯用の放電ランプに対向する位置に設けられている、請求項１に記載の照明装置。
【請求項３】
第１の点灯用の放電ランプを保持する第１の保持部と、
第２の点灯用の放電ランプを保持する第２の保持部と、
前記第１および第２の点灯用の放電ランプを点灯させるための点灯回路部と、
前記第１および第２の保持部および前記点灯回路部が設けられた基部とを備え、
前記基部には、前記第１の保持部に保持された前記第１の点灯用の放電ランプに対向する位置に、前記第１の点灯用の放電ランプと交換するための第１の交換用の放電ランプが収納される第１の収納部が設けられると共に、前記第２の保持部に保持された前記第２の点灯用の放電ランプに対向する位置に、前記第２の点灯用の放電ランプと交換するための第２の交換用の放電ランプが収納される第２の収納部が設けられている照明装置。
【請求項４】
前記点灯用の放電ランプが点灯不能になったときに、前記点灯回路部によって自動的に点灯される補助ランプを備える、請求項１ないし３のいずれか１項に記載の照明装置。
【請求項５】
前記基部には、環状の前記点灯用の放電ランプが収納される円環状の前記収納が設けられている、請求項１ないし４のいずれか１項に記載の照明装置。
【請求項６】
前記収納部に収納された状態で、前記点灯用の放電ランプに対向する外周面に、前記点灯用の放電ランプによる照明光を反射する反射膜が形成されている前記交換用の放電ランプを備える、請求項１ないし５のいずれか１項に記載の照明装置。
【請求項７】
前記放電ランプは蛍光ランプである、請求項１ないし６のいずれか１項に記載の照明装置。
【請求項８】
前記保持部には、前記放電ランプの端子に電気的に接続されるコネクタが一体に設けられている、請求項１ないし７のいずれか１項に記載の照明装置。
【請求項９】
点灯用の放電ランプを保持する保持部と、前記点灯用の放電ランプを点灯させるための点灯回路部と、前記保持部および前記点灯回路部が設けられた基部とを備え、前記基部には、前記保持部に保持された前記点灯用の放電ランプに対向する位置に、前記点灯用の放電ランプと交換するための交換用の放電ランプが収納される収納部が設けられている照明装置の前記収納部に収納される放電ランプであって、
前記収納部に収納された状態で前記点灯用の放電ランプに対向する外周面には、前記点灯用の放電ランプによる照明光を反射する反射膜が形成されている放電ランプ。
【発明の詳細な説明】
【技術分野】
【０００１】
本発明は、例えば蛍光ランプ等の放電ランプを点灯させる照明装置、およびこの照明装置に用いられる放電ランプに関する。
【背景技術】
【０００２】
照明装置には、一般に、例えば放電ランプとして円環状の蛍光ランプを点灯させる構成が知られている。
【０００３】
例えば図６および図７に示すように、この種の照明装置１０１としては、円環状の第１および第２の蛍光ランプ１０３，１０４と、第１の蛍光ランプ１０３を保持する第１の保持部１１１と、第２の蛍光ランプ１０４を保持する第２の保持部１１２とを備えている。また、この照明装置１０１は、第１の蛍光ランプ１０３および第２の蛍光ランプ１０４を点灯させるための点灯回路部１１３と、第１、第２の保持部１１１，１１２および点灯回路部１１３が設けられた基部１１４と、第１および第２の保持部１１１，１１２に保持された第１および第２の蛍光ランプ１０３，１０４を覆うセード部材１１５とを備えて構成されている。
【０００４】
また、関連する照明装置としては、円環状の第１および第２の蛍光ランプをそれぞれ保持する各保持部が、基部としての器具本体に設けられた構成が開示されている（例えば、特許文献１参照）。
【特許文献１】特開２００６−１２７８４５号公報
【発明の開示】
【発明が解決しようとする課題】
【０００５】
ところで、上述したような照明装置は、蛍光ランプの寿命を予測することが困難であり、またセード部材で覆われた蛍光ランプの状態を照明装置の外側から目視できないため、蛍光ランプが突然、点灯不能に陥ることが多い。
【０００６】
そして、このような照明装置が使用されている例えば一般家庭等では、点灯不能等のために交換が必要になった蛍光ランプを交換する際、その都度、交換用の蛍光ランプが購入されている。このため、照明装置では、照明状態を復旧するのに比較的長時間を要してしまい易い。
【０００７】
また、交換用の蛍光ランプを予め用意しておく場合もあるが、交換用の蛍光ランプの保管時に、この交換用の蛍光ランプを破損してしまうおそれがあり、また交換用の蛍光ランプの保管場所を確保する必要もあり、交換用の蛍光ランプの管理が煩わしいという不都合がある。
【０００８】
そこで、本発明は、上述した課題を解決し、点灯用の放電ランプの交換作業の容易化を図り、放電ランプを迅速に交換することを可能とする照明装置、および放電ランプを提供することを目的とする。
【課題を解決するための手段】
【０００９】
上述した目的を達成するため、本発明に係る第１の照明装置は、点灯用の放電ランプを保持する保持部と、点灯用の放電ランプを点灯させるための点灯回路部と、保持部および点灯回路部が設けられた基部とを備える。そして、基部には、点灯用の放電ランプと交換するための交換用の放電ランプが収納される収納部が設けられている。
【００１０】
また、本発明に係る第２の照明装置は、第１の点灯用の放電ランプを保持する第１の保持部と、第２の点灯用の放電ランプを保持する第２の保持部と、第１および第２の点灯用の放電ランプを点灯させるための点灯回路部と、第１および第２の保持部および点灯回路部が設けられた基部とを備える。そして、基部には、第１の保持部に保持された第１の点灯用の放電ランプに対向する位置に、第１の点灯用の放電ランプと交換するための第１の交換用の放電ランプが収納される第１の収納部が設けられると共に、第２の保持部に保持された第２の点灯用の放電ランプに対向する位置に、第２の点灯用の放電ランプと交換するための第２の交換用の放電ランプが収納される第２の収納部が設けられている。
【００１１】
また、本発明に係る放電ランプは、点灯用の放電ランプを保持する保持部と、点灯用の放電ランプを点灯させるための点灯回路部と、保持部および点灯回路部が設けられた基部とを備え、基部には、保持部に保持された点灯用の放電ランプに対向する位置に、点灯用の放電ランプと交換するための交換用の放電ランプが収納される収納部が設けられている照明装置の収納部に収納される放電ランプであって、収納部に収納された状態で点灯用の放電ランプに対向する外周面には、点灯用の放電ランプによる照明光を反射する反射膜が形成されている。
【発明の効果】
【００１２】
上述したように本発明によれば、交換用の放電ランプを収納する収納部を備えることによって、点灯用の放電ランプが点灯不能になったときに、点灯用の放電ランプの交換作業の容易化が図られ、放電ランプを迅速に交換することができる。
【発明を実施するための最良の形態】
【００１３】
以下、本発明の具体的な実施例について、図面を参照して説明する。
【００１４】
図１および図２に示すように、実施例の照明装置１は、第１の点灯用の蛍光ランプ３および第２の点灯用の蛍光ランプ４と、第１の点灯用の蛍光ランプ３を保持する第１の保持部１１と、第２の点灯用の蛍光ランプ４を保持する第２の保持部１２とを備えている。
【００１５】
また、この照明装置１は、第１および第２の点灯用の蛍光ランプ３，４をそれぞれ点灯させるための点灯回路部１３と、第１、第２の保持部１１，１２および点灯回路部１３が設けられた基部１４と、第１および第２の保持部１１，１２に保持された第１および第２の点灯用の蛍光ランプ３，４を覆うように基部１４に着脱可能に取り付けられるセード部材１５とを備えている。
【００１６】
また、この照明装置１は、第１の点灯用の蛍光ランプ３と交換するための第１の交換用の蛍光ランプ６と、第２の点灯用の蛍光ランプ４と交換するための第２の交換用の蛍光ランプ７と、第１の交換用の蛍光ランプ６を収納する第１の収納部１６と、第２の交換用の蛍光ランプ７を収納する第２の収納部１７とを備えている。
【００１７】
第１および第２の点灯用の蛍光ランプ３，４としては、円環状の蛍光ランプが用いられている。第２の点灯用の蛍光ランプ４は、第１の点灯用の蛍光ランプ３の直径寸法よりも小さくされており、第１の点灯用の蛍光ランプ３の内周部に配置されている。
【００１８】
第１および第２の交換用の蛍光ランプ６，７としては、それぞれ対応する第１および第２の点灯用の蛍光ランプ３，４の外形寸法および消費電力（Ｗ）と等しいものがそれぞれ用いられている。
【００１９】
図３および図４に示すように、第１の保持部１１は、第１の点灯用の蛍光ランプ３の外周部を保持する複数の保持部材１１ａを有している。各保持部材１１ａは、第１の点灯用の蛍光ランプ３の周方向の複数箇所に対応する位置にそれぞれ設けられている。各保持部材１１ａは、第１の点灯用の蛍光ランプ３の外周部を保持する略Ｃ字状の保持片を有しており、この保持片が弾性変位可能に形成されている。
【００２０】
第２の保持部１２は、第１の保持部１１と同様に、第２の点灯用の蛍光ランプ４の外周部を保持する複数の保持部材１２ａを有している。各保持部材１２ａは、第２の点灯用の蛍光ランプ４の周方向の複数箇所に対応する位置にそれぞれ設けられている。各保持部材１２ａは、第２の点灯用の蛍光ランプ４の外周部を保持する略Ｃ字状の保持片を有しており、この保持片が弾性変位可能に形成されている。
【００２１】
また、本実施例の照明装置１は、図２に示すように、点灯用の蛍光ランプ３，４が点灯不能状態になったときに、点灯回路部１３によって自動的に点灯される補助ランプ８を有している。この補充ランプ８としては、例えば、比較的消費電力が小さい電球、いわゆる保安球が用いられている。補充ランプ８が自動的に点灯されることで、暗所で点灯用の蛍光ランプ３，４が突然、点灯不能になった場合であっても、点灯用の蛍光ランプ３，４の交換作業を容易に行うことが可能にされている。
【００２２】
点灯回路部１３は、図示しないが、第１および第２の点灯用の蛍光ランプ３，４の端子に電気的に接続されるコネクタが設けられた配線を有している。点灯回路部１３は、例えばインバータ回路等を有して構成されている。また、コネクタは、第１および第２の保持部１１，１２に一体に設けられる構成が採られてもよい。
【００２３】
基部１４には、第１の保持部１１に保持された第１の点灯用の蛍光ランプ３に対向する位置に、円環状の交換用の蛍光ランプ６に対応する円環状の凹部をなす第１の収納部１６が設けられている。また同様に、基部１４には、第２の保持部１２に保持された第２の点灯用の蛍光ランプ４に対向する位置に、円環状の交換用の蛍光ランプ７に対応する円環状の凹部をなす第２の収納部１７が設けられている。これら第１および第２の収納部１６，１７は、各保持部１１，１２に保持された円環状の蛍光ランプ３，４の中心軸方向である、基部１４の厚み方向の内部に配置されている。
【００２４】
また、図示しないが、第１および第２の収納部１６，１７には、例えば、凹部の側壁や底面の複数箇所に、交換用の蛍光ランプ６，７の外周部を保持する保持部材が設けられる構成が採られてもよい。この構成によれば、収納部１６，１７内に交換用の蛍光ランプ６，７が収納された状態を良好に保つことができる。
【００２５】
また、図示しないが、第１および第２の収納部１６，１７には、収納状態の交換用の蛍光ランプ６，７を収納部１６，１７の外方に引き出すための引き出し部材が設けられてもよい。また、第１および第２の収納部１６，１７には、凹部の開口を開閉可能にする蓋部材（不図示）が設けられてもよい。この構成の場合には、この蓋部材に、点灯用の蛍光ランプ３，４による照明光を反射する反射膜が設けられる構成が採られてもよく、点灯用の蛍光ランプ３，４による照明光の光出力の低下を抑えることが可能になる。
【００２６】
また、第１および第２の交換用の蛍光ランプ６，７のガラス管２０の内周面には、図５に示すように、周方向の半周に亘って蛍光体１９が設けられ、この蛍光体１９と対向する周方向の半周に亘って、照明光を反射するための内面反射膜２１が設けられている。
【００２７】
また、第１および第２の交換用の蛍光ランプ６，７のガラス管２０の外周面には、第１および第２の点灯用の蛍光ランプ３，４による照明光を反射するための外面反射膜２２が、周方向の半周に亘って形成されている。この外面反射膜２２は、蛍光ランプ６，７のガラス管２０を間に挟んで、蛍光ランプ６，７の内周面に設けられた内面反射膜２１に対応する位置に配置されている。
【００２８】
そして、これら交換用の蛍光ランプ６，７は、外面反射膜２２を点灯用の蛍光ランプ３，４に対向させた向きで収納部１６，１７内に収納されている。第１および第２の交換用の蛍光ランプ６，７の外周面に外面反射膜２２が設けられたことで、この外面反射膜２２によって点灯用の蛍光ランプ３，４による照明光が反射され、照明装置１の光出力が低下することが抑えられる。また、これら交換用の蛍光ランプ６，７は、点灯時、外面反射膜２２が形成された半周側を基部１４側に向けた状態で、第１および第２の保持部１１，１２に保持される。
【００２９】
以上のように構成された実施例の照明装置１について、点灯用の蛍光ランプ３，４が点灯不能になった場合の動作を説明する。
【００３０】
まず、照明装置１は、点灯不能等の交換が必要な点灯用の蛍光ランプ３，４を保持部１１，１２から取り外す。続いて、取り外した点灯用の蛍光ランプ３，４に対応する交換用の蛍光ランプ６，７を収納部１６，１７内から取り出す。
【００３１】
そして、交換用の蛍光ランプ６，７を点灯用の蛍光ランプ３，４として、保持部１１，１２に保持させて、蛍光ランプ６，７を配線のコネクタと電気的に接続させることで、交換作業が完了する。
【００３２】
なお、点灯用の蛍光ランプ３，４を交換した後、交換用の蛍光ランプ６，７を取り出した収納部１６，１７に、新たな交換用の蛍光ランプ６，７を補充しておくことで、次回の交換作業を容易に行うことが可能になる。
【００３３】
上述したように、実施例の照明装置１は、基部１４に、第１および第２の交換用の蛍光ランプ６，７を収納する第１および第２の収納部１６，１７が設けられることによって、点灯用の蛍光ランプ３，４の交換作業の容易化が図られる。したがって、この照明装置１によれば、点灯用の蛍光ランプ３，４を迅速に交換することができる。
【００３４】
また、実施例の照明装置１は、保持部１１，１２から点灯用の蛍光ランプ３，４を取り外すことで、点灯用の蛍光ランプ３，４を取り外した位置に、交換用の蛍光ランプ６，７が配置されているため、交換用の蛍光ランプ６，７を取り間違えることが防止され、交換作業を円滑に行うことができる。
【００３５】
（変形例）
上述した実施例の照明装置では、凹部をなす第１および第２の収納部１６，１７が、基部１４の厚み方向の内部に設けられる構成が採られたが、このような構成に限定されるものではない。図示しないが、第１および第２の収納部は、例えば、保持部に保持された点灯用の蛍光ランプと基部との間に、交換用の蛍光ランプを保持する他の保持部材が配置されるように構成されてもよい。
【００３６】
なお、上述した実施例の照明装置では、放電ランプとして、円環状の蛍光ランプが適用されたが、直管状の蛍光ランプや、直管状の蛍光管が折り曲げられて構成された、いわゆるコンパクト形蛍光ランプが適用される構造に構成されてもよい。
【００３７】
また、上述した実施例の照明装置では、点灯用および交換用の蛍光ランプをそれぞれ２本ずつ備える構成にされたが、点灯用および交換用の蛍光ランプの本数が限定されるものではなく、３本以上の点灯用および交換用の蛍光ランプ等の放電ランプをそれぞれ備える構成にされてもよいことは勿論である。
【００３８】
本発明に係る照明装置は、点灯不能になった放電ランプを比較的迅速に交換することが可能になるので、照明の復旧作業を迅速に行う必要がある場所に設置されて好適である。
【図面の簡単な説明】
【００３９】
【図１】実施例の照明装置を示す斜視図である。
【図２】上記照明装置を示す分解斜視図である。
【図３】上記照明装置を示す側面図である。
【図４】第１および第２の収納部を説明するための模式的な断面図である。
【図５】交換用の蛍光ランプを示す断面図である。
【図６】関連する照明装置を示す分解斜視図である。
【図７】関連する照明装置を示す側面図である。
【符号の説明】
【００４０】
１  照明装置
３  第１の点灯用の蛍光ランプ
４  第２の点灯用の蛍光ランプ
６  第１の交換用の蛍光ランプ
７  第２の交換用の蛍光ランプ
８  補充ランプ
１１  第１の保持部
１２  第２の保持部
１３  点灯回路部
１４  基部
１６  第１の収納部
１７  第２の収納部
２１  外面反射膜
【図１】
2008305570.tif 000003
【図２】
2008305570.tif 000004
【図３】
2008305570.tif 000005
【図４】
2008305570.tif 000006
【図５】
2008305570.tif 000007
【図６】
2008305570.tif 000008
【図７】
2008305570.tif 000009